(57)【要約】      （修正有）【課題】従来のものとは異なる構成で架設フレームの長さを調整自在とした流し台用架設装置を提供する。【解決手段】流し台に架け渡される架設フレーム２を備え、架設フレーム２は、平行に延びる二本の外筒６，６と、各外筒６，６に挿入して固定される中間筒７，７と、各中間筒７，７に挿入されて中間筒７，７に対して軸線Ｘ方向に伸縮可能な可動軸８と、を備える。可動軸８は、中間筒７に当接して中間筒７からの可動軸８の抜け出しを阻止する凸部１７を備える。【選択図】図３
0003188101.tif 000002
【実用新案登録請求の範囲】
【請求項１】
流し台（５）に架け渡される架設フレーム（２）を備え、該架設フレーム（２）は、平行に延びる二本の外筒（６，６）と、該各外筒（６，６）に挿入して固定される中間筒（７，７）と、該各中間筒（７，７）に挿入されて該中間筒（７，７）に対して軸線（Ｘ）方向に摺動自在且つ抜け出し不能に係合される可動軸（８，２１）と、を備える、流し台用架設装置。
【請求項２】
前記外筒（６）に孔（１１）が形成され、前記中間筒（７）は、前記外筒（６）の内側から前記孔（１１）に適合する突起（１２）と、該突起（１２）が前記外筒（６）の内側から前記孔（１１）に対して係脱自在となるように前記突起（１２）を弾性的に支持する弾性腕（１３）と、を備える、請求項１に記載の流し台用架設装置。
【請求項３】
前記可動軸（８，２１）は、前記外筒（６）内において前記弾性腕（１３）の弾性で前記突起（１２）を逃がして前記中間筒（７）を前記外筒（６）内に挿入可能にする凹部（１６）と、前記中間筒（７）に当接して該中間筒（７）からの前記可動軸（８，２１）の抜け出しを阻止する凸部（１７）と、を備える、請求項１又は２に記載の流し台用架設装置。
【請求項４】
前記凹部（１６）と前記凸部（１７）が前記可動軸（８，２１）への加圧により同時に形成されたものである、請求項３に記載の流し台用架設装置。
【考案の詳細な説明】
【技術分野】
【０００１】
本考案は、流し台用架設装置に関し、詳しくは、様々な大きさの流し台に架設できるように伸縮調整自在とされた流し台用架設装置に関する。本考案の装置は、例えば、食器や食物の水切りを行うために流し台に設置して使用する流し台用水切り装置等に適用可能なものである。
【背景技術】
【０００２】
従来、前記流し台用水切り装置は、いろいろなサイズの流し台に対応できるように、流し台に架け渡される架設フレームの長さが調整自在とされている（特許文献１等参照）。
【０００３】
特許文献１の００１１段落には、架設フレームを長さ調整自在にするための構成として、管体の内部に径小な管体を摺動自在に挿入し、これらの管体を摺動させた際にそのまま長さを保持できるようにすることが記載され、さらに、外側の管体の側面にねじ孔を設け、伸縮調整後に前記ねじ孔に固定ねじを螺入してねじ先端を内側の管体に当接させて長さを固定することが記載されている。
【先行技術文献】
【特許文献】
【０００４】
【特許文献１】実開平６−４１６４５号公報
【考案の概要】
【考案が解決しようとする課題】
【０００５】
本考案は、従来のものとは異なる構成で架設フレームの長さを調整自在とした流し台用架設装置を提供しようとするものである。
【課題を解決するための手段】
【０００６】
前記課題を解決するため、本考案に係る流し台用架設装置は、流し台に架け渡される架設フレームを備え、該架設フレームは、平行に延びる二本の外筒と、該各外筒に挿入して固定される中間筒と、該各中間筒に挿入されて該中間筒に対して軸線方向に摺動自在且つ抜け出し不能に係合される可動軸と、を備える（請求項１）。
【０００７】
本考案によれば、外筒に挿入して固定された中間筒に対して可動軸を摺動させることで、架設フレームの長さを調整することができる。可動軸の延び出し量を小さくすれば架設フレームの長さが短くなるので、サイズの小さな流し台に架設することができる。逆に、可動軸の延び出し量を大きくすれば架設フレームの長さが長くなるので、サイズの大きな流し台に架設することができる。可動軸は中間筒に対して抜け出し不能に係合されるので、可動軸が中間筒から抜けてしまうことはない。
【０００８】
好適な実施の一形態として、前記外筒に孔が形成され、前記中間筒は、前記外筒の内側から前記孔に適合する突起と、該突起が前記外筒の内側から前記孔に対して係脱自在となるように前記突起を弾性的に支持する弾性腕と、を備える態様を例示する（請求項２）。
【０００９】
この場合、前記弾性腕を撓ませて前記突起を前記中間筒の径方向の内方へと変位させ、前記中間筒を前記外筒内に挿入して、前記突起が前記外筒の内周面を軸線方向に摺動するように前記中間筒の挿入量を増大させる。前記突起が前記孔の位置に到達した瞬間に、前記弾性腕の弾性により、前記突起が前記孔に係入する。これにより、前記中間筒が前記外筒内に固定される。
【００１０】
好適な実施の一形態として、前記可動軸は、前記外筒内において前記弾性腕の弾性で前記突起を逃がして前記中間筒を前記外筒内に挿入可能にする凹部と、前記中間筒に当接して該中間筒からの前記可動軸の抜け出しを阻止する凸部と、を備える態様を例示する（請求項３）。
【００１１】
この場合、前記可動軸の前記凹部と前記中間筒の前記突起との位置合わせを行うことで、前記弾性腕を撓ませて、前記突起を前記凹部内へと逃がすことが可能になる。これにより、前記可動軸と前記中間筒とを一体化させた状態で、前記中間筒を前記外筒内に挿入することができる。前記突起が前記外筒の内周面を軸線方向に摺動するように前記外筒に対する前記中間筒の挿入量を増大させると、前記突起が前記孔の位置に到達した瞬間に、前記弾性腕の弾性により、前記突起が前記孔に係入する。これにより、前記中間筒が前記外筒内に固定される。
【００１２】
好適な実施の一形態として、前記凹部と前記凸部が前記可動軸への加圧により同時に形成されたものである態様を例示する（請求項４）。このようにすれば、前記凹部と前記凸部の形成が効率よく行えて好適である。
【図面の簡単な説明】
【００１３】
【図１】本考案の実施の一形態に係る流し台用架設装置の全体斜視図である。
【図２】図１の流し台用架設装置の使用状態の一例を示す断面図である。
【図３】図１の上部フレームの組立工程を示す分解平面図である。
【図４】図３における可動軸と中間筒と外筒の斜視図である
【図５】図４の可動軸と中間筒と外筒の結合状態を示す一部切欠斜視図である。
【図６】図４の可動軸と中間筒と外筒の結合工程の一部切欠側面図である。
【図７】図４の可動軸と中間筒と外筒の結合工程の一部切欠側面図である。
【図８】可動軸の最大伸長状態の一部切欠側面図である。
【図９】図８のＩＸ−ＩＸ矢視断面図である。
【図１０】本考案の他の実施の形態を示す分解平面図である。
【考案を実施するための形態】
【００１４】
以下に、本考案の実施の形態を説明する。
【００１５】
図１に示すように、本考案の実施の一形態に係る流し台用架設装置１は、上から見て長方形状の上部フレーム２と、同じく上から見て長方形状の下部フレーム３と、これらのフレーム２，３同士を連結するとともに食器等の収容物（図示せず）を支持するかご状部４と、を備える。但し、かご状部は本考案において必須の構成要素ではなく、前記上部フレーム２又は前記下部フレーム３の少なくともいずれかが備わっていればよい。例えば、前記かご状部４に代えて、前記上部フレーム２と前記下部フレーム３の少なくともいずれかに別体のざる等を掛止して使用する態様も採用できる。
【００１６】
図１の流し台用架設装置１は、一例として、図２に示すように流し台５に架け渡し、かご状部４に収容した食器等（図示せず）の水切りを行うために使用する。図２は、上部フレーム２を流し台５の前後の縁に架け渡し、かご状部４を流し台の内部で宙に浮いた状態とする使用例であるが、別の使用例として、下部フレーム３を流し台５の上縁に架け渡し、かご状部４が流し台５の上方に露出した状態とする使用方法も可能である。様々な寸法の流し台について前記いずれの使用方法も可能なように、本実施の形態では、前記上部フレーム２と前記下部フレーム３のいずれもが伸縮自在とされている。但し、前記上部フレーム２と前記下部フレーム３のいずれかのみを備え、当該フレームが伸縮自在であれば本考案の範囲内であることは勿論である。
【００１７】
図１において、前記下部フレーム３を伸縮自在にする構成は、前記上部フレーム２を伸縮自在にする構成と同じである。よって、以下、上部フレーム２の伸縮自在構成について説明する。
【００１８】
図３に示すように、架設フレームとしての前記上部フレーム２は、平行に延びる二本の外筒６，６と、該各外筒６，６に挿入して固定される中間筒７，７と、該各中間筒７，７に挿入されて該中間筒７，７に対して軸線Ｘ方向に摺動自在且つ抜け出し不能に係合される可動軸８，８と、を備える。
【００１９】
図３の例では、前記上部フレーム２がコ字状の二つの端部フレーム９，９を備え、該各端部フレーム９，９の平行な二本の腕部８，８が前記可動軸となっている。前記端部フレーム９，９は、金属製の丸棒材をコ字状に折り曲げて作製される。前記外筒６，６は金属製のパイプで作製され、前記中間筒７，７はポリプロピレン等の合成樹脂で作製される。但し、これに限定される趣旨ではない。前記端部フレーム９，９の流し台５に当接する部分には、流し台５を保護するとともに滑り防止のために、ゴム製等の緩衝材１０が設けられている。
【００２０】
前記外筒６には、両端部から所定の距離だけ軸線Ｘ方向内方の位置に、孔１１が形成される。これに対応して、前記中間筒７の外周面に、該中間筒７の半径方向外方への突起１２が形成される。この突起１２は、前記外筒６の内側から前記孔１１に適合する。
【００２１】
図４及び図５に示すように、前記突起１２は、前記中間筒７の一部を構成する弾性腕１３上に設けられる。この弾性腕１３は、前記突起１２が前記外筒６の内側から前記孔１１に対して係脱自在となるように、前記突起１２を弾性的に支持する。なお、一つの中間筒７について前記弾性腕１３が上下二つあり、前記突起１２も上下二つ備わっている。これに対応して、前記外筒６の前記孔も一つの中間筒７について上下二つある。二つの弾性腕１３，１３は、中間筒７の軸線Ｘ方向に沿って延び、軸線Ｘを挟んで互いに対向している。二つの弾性腕１３，１３同士の間には中間筒７の軸線Ｘ方向に延びるスリット１４がある。前記中間筒７の前記突起１２とは反対側の端部には、フランジ１５が形成される。このフランジ１５は、前記突起１２側から前記中間筒７を前記外筒６内に一杯まで挿入したときに、外筒６の端面６ａに当接する。
【００２２】
前記中間筒７には、前記フランジ１５側から、前記端部フレーム９の前記各腕部８，８が挿入される（図３の左側の端部フレーム９を参照）。該各腕部８，８は、前記中間筒７の内周面を摺動しながら挿通される。前記各腕部８，８の長さは、前記中間筒７の長さよりも長い。前記各腕部８，８の長さと前記中間筒７の長さとの差が、前記外筒６に対する前記端部フレーム９の移動ストロークとなる。
【００２３】
前記中間筒７内に前記各腕部８を挿入すると、前記中間筒７の前記突起１２側の端部から前記各腕部８の先端部が露出する。露出した前記各腕部８の先端部を径方向に加圧し、所定寸法の凹部１６と凸部１７を形成する（図３の右側の端部フレーム９を参照）。この際、前記各腕部８の先端部を一回加圧することで前記凹部１６と前記凸部１７とを上下左右に同時に形成すれば、凹部１６と凸部１７の形成が効率よく行えて好適である。加圧により、凹部１６は前記各腕部８の上下にでき、凸部１７は凹部１６の左右両側にできる。凹部１６の表面は平坦面である。前記凸部１７の大きさは、該凸部１７があっても前記各腕部８を前記外筒６内に挿入可能な大きさであることを要する（図９参照）。
【００２４】
図６に示すように、前記凹部１６は、前記外筒６内において前記中間筒７の弾性腕１３の弾性で前記突起１２を逃がして中間筒７を外筒６内に挿入可能にするためのものである。一方、前記凸部１７は、前記中間筒７に当接して該中間筒７からの前記各腕部８の抜け出しを阻止するためのものである。したがって、前記中間筒７内に前記各腕部８を挿入した状態で前記凹部１６と凸部１７を加圧形成すると、前記中間筒７が前記各腕部８から抜け落ちることはなくなる。本実施の形態では、図８及び図９に示すように、前記凸部１７が、対向する前記弾性腕１３，１３間の前記スリット１４内に入り、該スリット１４の基部１４ａ側で前記中間筒７に当接することで、前記各腕部８からの前記中間筒７の抜け落ちが阻止される。
【００２５】
前記端部フレーム９の各腕部８が挿通され、前記凹部１６と前記凸部１７とが形成された状態の前記中間筒７を前記外筒６内に挿通する方法は、次の通りである。
【００２６】
まず、前記各腕部８の前記凹部１６と前記中間筒７の前記突起１２との位置合わせを行う。そして、図６に示すように、前記弾性腕１３を中間筒７の径方向の内方へ撓ませて、前記突起１２を前記凹部１６の方向へと逃がす。こうすることで、前記腕部８が挿通された前記中間筒７を前記外筒６内に挿入することができる。前記突起１２が前記外筒６の内周面を軸線Ｘ方向に摺動するように前記外筒６に対する前記中間筒７の挿入量を増大させると、前記突起１２が前記孔１１の位置に到達した瞬間に、前記弾性腕１３の弾性により、前記突起１２が前記孔１１に係入する（図７参照）。これにより、前記中間筒７が前記外筒６内に固定される。図示例では、前記孔１１への前記突起１２の係入と、前記中間筒７のフランジ１５の前記外筒６の端面６ａへの当接と、が同時に起こるように寸法設定がされている。
【００２７】
前記中間筒７を前記外筒６に固定すれば、前記中間筒７に対する前記各腕部８の挿入量を変更することで、前記上部フレーム２の長さを自在に調整できる。前記上部フレーム２には前記端部フレーム９が二つ備わっているので、該各端部フレーム９の移動ストロークの和が前記上部フレーム２全体としての伸縮ストロークとなる。
【００２８】
なお、前記中間筒７に対して前記各腕部８が適度な大きさの摺動抵抗を有するようにそれらの内径と外径とを設定することで、伸縮調整後の長さ保持機能を持たせることができる。
【００２９】
以上の実施の形態は、金属製の丸棒材をコ字状に折り曲げて作製した端部フレーム９の例である。この場合、該端部フレーム９の二本の腕部８，８を中間筒７に挿通した後に、前記各腕部８に前記凹部１６と前記凸部１７とを形成せざるを得ない。これに対し、次のような構成にすれば、前記各腕部８に相当する可動軸２１に前記凹部１６と前記凸部１７とを形成した後に、前記可動軸２１を中間筒７に挿通することができる。
【００３０】
図１０に示すように、前記端部フレーム９の代替品２０として、平行な二本の可動軸２１，２１の対応する端部２１ａ，２１ａ同士をコ字状の連結パイプ２２で連結したものを採用する。この場合、直線状の可動軸２１，２１の一端部２１ｂ，２１ｂに前記凹部１６と前記凸部１７とを加圧形成し、その後、前記可動軸２１，２１の他端部２１ａ，２１ａを前記中間筒７に対して反フランジ側から挿入し、中間筒７のフランジ１５側の端部から突き出した可動軸２１，２１の前記他端部２１ａ，２１ａを前記連結パイプ２２に挿入固定することができる。
【符号の説明】
【００３１】
２    架設フレーム
５    流し台
６    外筒
７    中間筒
８，２１  可動軸
１１  孔
１２  突起
１３  弾性腕
１６  凹部
１７  凸部
Ｘ    軸線
【図１】
0003188101.tif 000003
【図２】
0003188101.tif 000004
【図３】
0003188101.tif 000005
【図４】
0003188101.tif 000006
【図５】
0003188101.tif 000007
【図６】
0003188101.tif 000008
【図７】
0003188101.tif 000009
【図８】
0003188101.tif 000010
【図９】
0003188101.tif 000011
【図１０】
0003188101.tif 000012
【手続補正書】
【提出日】平成25年10月28日(2013.10.28)
【手続補正１】
【補正対象書類名】実用新案登録請求の範囲
【補正対象項目名】全文
【補正方法】変更
【補正の内容】
【実用新案登録請求の範囲】
【請求項１】
流し台（５）に架け渡される架設フレーム（２）を備え、該架設フレーム（２）は、平行に延びる二本の外筒（６，６）と、該各外筒（６，６）に挿入して固定される中間筒（７，７）と、該各中間筒（７，７）に挿入されて該中間筒（７，７）に対して軸線（Ｘ）方向に伸縮可能な可動軸（８，２１）と、を備え、該可動軸（８，２１）は、前記中間筒（７）に当接して該中間筒（７）からの前記可動軸（８，２１）の抜け出しを阻止する凸部（１７）を備える、流し台用架設装置。
【請求項２】
前記外筒（６）に孔（１１）が形成され、前記中間筒（７）は、前記外筒（６）の内側から前記孔（１１）に適合する突起（１２）と、該突起（１２）が前記外筒（６）の内側から前記孔（１１）に対して係脱自在となるように前記突起（１２）を弾性的に支持する弾性腕（１３）と、を備える、請求項１に記載の流し台用架設装置。
【請求項３】
前記可動軸（８，２１）は、前記外筒（６）内において前記弾性腕（１３）の弾性で前記突起（１２）を逃がして前記中間筒（７）を前記外筒（６）内に挿入可能にする凹部（１６）を備える、請求項２に記載の流し台用架設装置。
【請求項４】
前記凹部（１６）と前記凸部（１７）が前記可動軸（８，２１）への加圧により同時に形成されたものである、請求項３に記載の流し台用架設装置。
【手続補正２】
【補正対象書類名】明細書
【補正対象項目名】０００６
【補正方法】変更
【補正の内容】
【０００６】
前記課題を解決するため、本考案に係る流し台用架設装置は、流し台に架け渡される架設フレームを備え、該架設フレームは、平行に延びる二本の外筒と、該各外筒に挿入して固定される中間筒と、該各中間筒に挿入されて該中間筒に対して軸線方向に伸縮可能な可動軸と、を備え、該可動軸は、前記中間筒に当接して該中間筒からの前記可動軸の抜け出しを阻止する凸部を備える（請求項１）。
【手続補正３】
【補正対象書類名】明細書
【補正対象項目名】０００７
【補正方法】変更
【補正の内容】
【０００７】
本考案によれば、外筒に挿入して固定された中間筒に対して可動軸を伸縮させることで、架設フレームの長さを調整することができる。可動軸の延び出し量を小さくすれば架設フレームの長さが短くなるので、サイズの小さな流し台に架設することができる。逆に、可動軸の延び出し量を大きくすれば架設フレームの長さが長くなるので、サイズの大きな流し台に架設することができる。可動軸の凸部が中間筒に当接するので、可動軸が中間筒から抜け出してしまうことはない。
【手続補正４】
【補正対象書類名】明細書
【補正対象項目名】００１０
【補正方法】変更
【補正の内容】
【００１０】
好適な実施の一形態として、前記可動軸は、前記外筒内において前記弾性腕の弾性で前記突起を逃がして前記中間筒を前記外筒内に挿入可能にする凹部を備える態様を例示する（請求項３）。